(57)【特許請求の範囲】
【請求項１】
用紙幅方向に沿わせて配置された固定刃と、
回転刃が搭載された回転刃収納ケースを用紙幅方向に往復移動させ、切断方向へ移動する前記回転刃収納ケースにより当該回転刃収納ケースに前記固定刃から離反するに従い前記切断方向進行側に向けて傾斜する形状に設けられた傾斜部の傾斜で用紙を前記固定刃に押し付けさせつつ前記回転刃と前記固定刃との協働により前記用紙を切断する機構と、
前記回転刃収納ケースの移動軌跡上に弾性力により進退自在に設けられ、前記用紙の搬送経路を前記傾斜部の傾斜が前記用紙を前記固定刃に押し付ける前記回転刃収納ケースによる前記用紙の前記固定刃に対する当接可能領域内に規制する規制部を有し、切断方向に移動する前記回転刃収納ケースに押されて弾性力により前記回転刃収納ケースの移動軌跡上から退避するように一端が自由端とされた規制部材と、
この規制部材を切断方向へ移動する前記回転刃収納ケースで押し、前記回転刃収納ケースの前記傾斜部が前記用紙を前記固定刃に押し付ける位置に達した後に前記回転刃収納ケースの移動軌跡上から退避させる規制部退避手段と、
を備えることを特徴とする用紙切断装置。
【発明の詳細な説明】
【０００１】
【発明の属する技術分野】
本発明は、例えばＰＯＳ（Point of Sales）端末中に内蔵されるレシートプリンタ等に適用される用紙切断装置に関する。
【０００２】
【従来の技術】
一般に、ロール紙等の長尺用紙を用いるプリンタ、ファクシミリ装置等では、印字後の用紙を適当な長さに切断するための用紙切断装置を印字部に対して印字済用紙搬送方向下流側の位置に備えたものが多い。この場合の用紙切断装置としては、用紙全幅に渡る長さを有する直線板状の可動刃と固定刃とを組合せた機構のものが多いが、最近では、円盤状の回転刃を用紙の幅方向に移動させて用紙を切断する機構を備えたサーキュラカッタ方式を採用したものが小型軽量化を図ることができる点から注目されている。
【０００３】
後者の機構の場合に要求される機能は、円盤状の回転刃（通常は、剥き出しとならないようにカバー構造を備えた回転刃収納ケースにより保持されている）を印字済用紙を横断する方向に移動させて用紙を切断した後は、逆方向に移動させて待機位置に復帰させることである。このため、必然的に回転刃を往復移動させる構成を含む。
【０００４】
このための構成として、駆動モータを常に一方向にのみ回転駆動させることで、回転刃（回転刃収納ケース）を往復させ得るドライブカムシャフトを備えたものがある。これは、回転刃収納ケースに設けられた舟形の滑り子が追従する螺旋状のガイド溝が軸上の端部で無端状とされて折り返され往復で交差するように形成されたドライブカムシャフトを駆動モータにより回転させるものである。
【０００５】
ここで、図３は従来の用紙切断装置の構成を示す概略斜視図である。図３に示すように、用紙切断装置１０１には、対象となる用紙Ｐの全幅に渡る長さを有する板状の固定刃１１２が設けられている。また、用紙切断装置１０１には、用紙Ｐの幅方向の両端付近に配設された一対の側板１０２間にドライブカムシャフト１０３が回転自在に掛け渡されている。このドライブカムシャフト１０３は、円盤状の回転刃１０４を保持した回転刃収納ケース１０５に設けられた舟形の滑り子（図示せず）が追従する螺旋状のガイド溝１０７が駆動軸１０８上の端部で無端状とされて折り返され往復で交差するように形成されたものであり、駆動モータ１０９による駆動の下、モータ歯車１１０、駆動歯車１１１を介して回転駆動される。また、回転刃１０４の軸上には、固定刃１１２上を摩擦摺動することにより回転するゴム体１１３が取付けられている。
【０００６】
このような構成により、駆動モータ１０９が回転し駆動軸１０８が回転すると、そのガイド溝１０７と滑り子との嵌合関係により回転刃収納ケース１０５が用紙幅方向に移動する。このとき、回転刃収納ケース１０５の移動に伴ってゴム体１１３が固定刃１１２上を摩擦摺動しながら回転することにより、回転刃１０４は回転することになるので、回転刃１０４と固定刃１１２との協働により用紙Ｐが順次切断されることになる。
【０００７】
なお、回転刃収納ケース１０５は、用紙Ｐを切断（フルカット）した後、ガイド溝１０７の折り返し端部に至ると、ガイド溝１０７によってそのまま移動方向が逆方向（復帰方向）に切換えられることになる。このようにして、ドライブカムシャフト方式によれば、ドライブカムシャフト１０３を常に一方向に回転させたまま回転刃収納ケース１０５を往復移動させることができる。
【０００８】
ところで、図３に示したようなサーキュラカッタ方式を採用した用紙切断装置１０１においては、用紙Ｐを切断する際に回転刃１０４を収納した回転刃収納ケース１０５を移動させるため、用紙Ｐを固定刃１１２に当接させるための部材を回転刃収納ケース１０５の移動軌跡上に設けることが出来ない。
【０００９】
そこで、用紙切断装置１０１の回転刃収納ケース１０５は、回転刃１０４が剥き出しにならないように安全性を確保するのみでなく、更に、用紙Ｐを切断する際にその用紙Ｐを固定刃１１２に強制的に当接させる機能も有している。より具体的には、図４に示すように、回転刃収納ケース１０５には傾斜部１０５ａが設けられており、回転刃収納ケース１０５は、用紙Ｐを切断する際に切断方向Ｂへと移動しながらこの傾斜部１０５ａの傾斜によって用紙Ｐを徐々に固定刃１１２側へと運び、最終的には用紙Ｐを固定刃１１２に当接させて切断することになる。
【００１０】
【発明が解決しようとする課題】
ところが、図３及び図４に示したような用紙切断装置１０１においては、通常の切断動作中には用紙Ｐの腰の強さにより固定刃１１２から用紙Ｐが離れることは少ないが、用紙排出口（図示せず）から排出された用紙Ｐをフルカットされる前にオペレータが掴んだりした場合には、用紙Ｐは固定刃１１２から離れてしまうことがある。このように用紙Ｐが固定刃１１２から離れてしまった状態でそのまま切断動作が実行された場合には、用紙ジャムが発生してしまうという問題がある。
【００１１】
より具体的には、例えば用紙Ｐが図４中の一点鎖線よりも固定刃１１２から離れた位置にある場合、用紙Ｐを切断する際に切断方向Ｂへと移動する回転刃収納ケース１０５は、用紙Ｐを傾斜部１０５ａによって捉えることが出来ずに、用紙Ｐを更に固定刃１１２から離してしまうことになる。つまり、回転刃収納ケース１０５は、用紙Ｐを引っ掛けた状態で切断方向Ｂへと移動することになるので、最終的には用紙Ｐのジャムを引き起こし、回転刃収納ケース１０５自体が動けない状態となってしまう。
【００１２】
加えて、このように回転刃収納ケース１０５を駆動したまま回転刃収納ケース１０５が用紙Ｐにより移動できない状態が長く続いた場合には、駆動系の異常な発熱を誘発し、ひいては、駆動系を破損させてしまうという問題もある。
【００１３】
本発明の目的は、用紙ジャム等の発生を防止し、切断性能の向上を図ることができる用紙切断装置を提供することである。
【００１４】
【課題を解決するための手段】
請求項１記載の発明は、用紙幅方向に沿わせて配置された固定刃と、回転刃が搭載された回転刃収納ケースを用紙幅方向に往復移動させ、切断方向へ移動する前記回転刃収納ケースにより当該回転刃収納ケースに前記固定刃から離反するに従い前記切断方向進行側に向けて傾斜する形状に設けられた傾斜部の傾斜で用紙を前記固定刃に押し付けさせつつ前記回転刃と前記固定刃との協働により前記用紙を切断する機構と、前記回転刃収納ケースの移動軌跡上に弾性力により進退自在に設けられ、前記用紙の搬送経路を前記傾斜部の傾斜が前記用紙を前記固定刃に押し付ける前記回転刃収納ケースによる前記用紙の前記固定刃に対する当接可能領域内に規制する規制部を有し、切断方向に移動する前記回転刃収納ケースに押されて弾性力により前記回転刃収納ケースの移動軌跡上から退避するように一端が自由端とされた規制部材と、この規制部材を切断方向へ移動する前記回転刃収納ケースで押し、前記回転刃収納ケースの前記傾斜部が前記用紙を前記固定刃に押し付ける位置に達した後に前記回転刃収納ケースの移動軌跡上から退避させる規制部退避手段と、を備える。
【００１５】
したがって、切断前にオペレータが用紙を掴んだりした場合であっても、用紙は規制部によって回転刃収納ケースによる用紙の固定刃に対する当接可能領域内に規制されていることから、切断することができなくなる位置まで用紙が固定刃から離れてしまうことが防止されるとともに、用紙を切断する際には、規制部退避手段によって回転刃収納ケースの移動に連動して回転刃収納ケースの移動軌跡上から規制部を退避させることから、回転刃収納ケースの移動に支障なく用紙を切断することが可能になる。これにより、用紙ジャム等の発生が防止され、切断性能の向上を図ることが可能になる。
【００１６】
【発明の実施の形態】
本発明の実施の一形態を図１ないし図２に基づいて説明する。本実施の形態の用紙切断装置は、例えば、ＰＯＳ（Point of Sales）端末中に内蔵されるレシートプリンタにおけるレシート用紙切断装置１に適用されている。
【００１７】
ここで、図１はレシート用紙切断装置１の構成を示す概略斜視図、図２はレシート用紙切断装置１の構成を上方から見た状態を示す平面図である。図１及び図２に示すように、本実施の形態のレシート用紙切断装置１は、レシートプリンタにおける印字部（図示せず）よりもレシート用紙（以下、用紙という）Ｐの搬送方向Ａの下流側に配設されている。
【００１８】
図１に示すように、レシート用紙切断装置１には、対象となる用紙Ｐの全幅に渡る長さを有する板状の固定刃１２が設けられている。また、レシート用紙切断装置１には、用紙Ｐの幅方向の両端付近に配設された一対の側板２間にドライブカムシャフト３が回転自在に掛け渡されている。このドライブカムシャフト３は、円盤状の回転刃４を保持した回転刃収納ケース５に設けられた舟形の滑り子（図示せず）が追従する螺旋状のガイド溝７が駆動軸８上の端部で無端状とされて折り返され往復で交差するように形成されたものであり、駆動モータ９による駆動の下、モータ歯車１０、駆動歯車１１を介して回転駆動される。また、回転刃４の軸上には、固定刃１２上を摩擦摺動することにより回転するゴム体１３が取付けられている。
【００１９】
このような構成により、駆動モータ９が回転し駆動軸８が回転すると、そのガイド溝７と滑り子との嵌合関係により回転刃収納ケース５が用紙幅方向に移動する。このとき、回転刃収納ケース５の移動に伴ってゴム体１３が固定刃１２上を摩擦摺動しながら回転することにより、回転刃４は回転することになるので、回転刃４と固定刃１２との協働により用紙Ｐが順次切断されることになる。
【００２０】
なお、回転刃収納ケース５は、用紙Ｐを切断（フルカット）した後、ガイド溝７の折り返し端部に至ると、ガイド溝７によってそのまま移動方向が逆方向（復帰方向）に切換えられることになる。このようにして、レシート用紙切断装置１は、ドライブカムシャフト３を常に一方向に回転させたまま回転刃収納ケース５を往復移動させることができる。
【００２１】
また、用紙切断装置１の回転刃収納ケース５は、回転刃４が剥き出しにならないように安全性を確保するのみでなく、更に、用紙Ｐを切断する際にその用紙Ｐを固定刃１２に強制的に当接させる機能も有している。より具体的には、回転刃収納ケース５には傾斜部５ａが設けられており、回転刃収納ケース５は、用紙Ｐを切断する際に切断方向Ｂ（図２参照）へと移動しながらこの傾斜部５ａの傾斜によって用紙Ｐを徐々に固定刃１２側へと運び、最終的には用紙Ｐを固定刃１２に当接させて切断することになる。
【００２２】
加えて、本実施の形態のレシート用紙切断装置１には、用紙Ｐの搬送経路を規制する規制部材である板バネ１４が備えられている。この板バネ１４は、略くの字形状であって、図２中左側端部は自由端とされ、図２中右側端部はレシート用紙切断装置本体ケース（図示せず）に固定されており、回転刃収納ケース５の移動軌跡上に進退自在に設けられている。この板バネ１４は、用紙Ｐを切断することができなくなる位置である図２中の一点鎖線よりも固定刃１２側（つまり、回転刃収納ケース５による用紙Ｐの固定刃１２に対する当接可能領域内）に用紙Ｐを位置させるように、中央の屈曲部分１４ａ（規制部）で用紙Ｐの搬送経路を規制するものである。
【００２３】
このような構成により、用紙排出口（図示せず）から排出された用紙Ｐをフルカットされる前にオペレータが掴んだ場合であっても、用紙Ｐは板バネ１４の中央の屈曲部分１４ａで固定刃１２側に規制されていることから、用紙Ｐが固定刃１２から切断することができなくなる位置まで用紙Ｐは離れることはない。
【００２４】
また、回転刃収納ケース５が用紙Ｐを切断する際に切断方向Ｂ（図２参照）へと移動する場合には回転刃収納ケース５が板バネ１４に接触することになるが、板バネ１４は、その図２中左側端部は自由端とされ、図２中右側端部がレシート用紙切断装置本体ケースに固定されていることから、回転刃収納ケース５の切断方向Ｂへの移動により回転刃収納ケース５に押されながら用紙Ｐから離れていく方向である図２中Ｃ方向へと移動を開始する。つまり、板バネ１４の中央の屈曲部分１４ａが、回転刃収納ケース５の移動に連動して回転刃収納ケース５の移動軌跡上から退避させられることになる。ここに、規制部退避手段が実現されている。そして、この時点においては、用紙Ｐは回転刃収納ケース５の傾斜部５ａの傾斜によって固定刃１２側に押し付けられることになる。
【００２５】
ここに、切断前にオペレータが用紙Ｐを掴んだりした場合であっても、用紙Ｐは板バネ１４の中央の屈曲部分１４ａによって回転刃収納ケース５による用紙Ｐの固定刃１２に対する当接可能領域内に規制されていることから、切断することができなくなる位置まで用紙Ｐが固定刃１２から離れてしまうことが防止されるとともに、用紙Ｐを切断する際には、規制部退避手段によって回転刃収納ケース５の移動に連動して回転刃収納ケース５の移動軌跡上から板バネ１４の中央の屈曲部分１４ａを退避させ、用紙Ｐを回転刃収納ケース５の傾斜部５ａの傾斜によって徐々に固定刃１２側へと運び、最終的には用紙Ｐを固定刃１２に当接させて切断することが可能になる。これにより、用紙ジャム等の発生が防止され、切断性能の向上を図ることが可能になる。
【００２６】
なお、本実施の形態においては、円盤状の回転刃４を保持した回転刃収納ケース５をドライブカムシャフト３により移動させるようにしたが、これに限るものではない。例えば、ドライブカムシャフト３に代えて、ベルトを用いて回転刃収納ケース５を移動させるようにしても良い。
【００２７】
【発明の効果】
請求項１記載の発明によれば、用紙幅方向に沿わせて配置された固定刃と、回転刃が搭載された回転刃収納ケースを用紙幅方向に往復移動させ、切断方向へ移動する前記回転刃収納ケースにより当該回転刃収納ケースに前記固定刃から離反するに従い前記切断方向進行側に向けて傾斜する形状に設けられた傾斜部の傾斜で用紙を前記固定刃に押し付けさせつつ前記回転刃と前記固定刃との協働により前記用紙を切断する機構と、前記回転刃収納ケースの移動軌跡上に弾性力により進退自在に設けられ、前記用紙の搬送経路を前記傾斜部の傾斜が前記用紙を前記固定刃に押し付ける前記回転刃収納ケースによる前記用紙の前記固定刃に対する当接可能領域内に規制する規制部を有し、切断方向に移動する前記回転刃収納ケースに押されて弾性力により前記回転刃収納ケースの移動軌跡上から退避するように一端が自由端とされた規制部材と、この規制部材を切断方向へ移動する前記回転刃収納ケースで押し、前記回転刃収納ケースの前記傾斜部が前記用紙を前記固定刃に押し付ける位置に達した後に前記回転刃収納ケースの移動軌跡上から退避させる規制部退避手段と、を備えることにより、切断前にオペレータが用紙を掴んだりした場合であっても、用紙を規制部によって回転刃収納ケースによる用紙の固定刃に対する当接可能領域内に規制することができるので、切断することができなくなる位置まで用紙が固定刃から離れてしまうことを防止することができるとともに、用紙を切断する際には、規制部退避手段によって回転刃収納ケースの移動に連動して回転刃収納ケースの移動軌跡上から規制部材を退避させることから、回転刃収納ケースの移動に支障なく用紙を切断することができるので、用紙ジャム等の発生を防止し、切断性能の向上を図ることができる。
【図面の簡単な説明】
【図１】本発明の実施の一形態のレシート用紙切断装置の構成を示す概略斜視図である。
【図２】レシート用紙切断装置の構成を上方から見た状態を示す平面図である。
【図３】従来の用紙切断装置の構成を示す概略斜視図である。
【図４】用紙切断装置の構成を上方から見た状態を示す平面図である。
【符号の説明】
１        用紙切断装置
４        回転刃
５        回転刃収納ケース
１２      固定刃
１４      規制部材
１４ａ    規制部
Ｐ        用紙
【図１】
0003790430.tif 000002
【図２】
0003790430.tif 000003
【図３】
0003790430.tif 000004
【図４】
0003790430.tif 000005